(57)【特許請求の範囲】
【請求項１】
第１の光波長多重伝送装置と第２の光波長多重伝送装置とが第１の光伝送路と第２の光伝送路とによって接続され、前記第１または第２の光波長多重伝送装置によって各波長光信号を多重化させて、前記第１または第２の光伝送路の一端に入射させるとともに、前記第２または第１の光波長多重伝送装置によって、前記第１または第２の光伝送路の他端から出射される、多重化された光信号を取り込ませ、各波長光信号に分離させる光伝送システムにおいて、
前記第１または第２の光波長多重伝送装置は、
前記第１または第２の光伝送路の他端から各波長光信号が出射されなくなったとき、前記第１または第２の光伝送路が断線したと判断し、前記第１または第２の光伝送路への光出力を停止し、その後、各波長単位で、所定周期毎に、所定時間だけ、各波長光信号を前記第１または第２の光伝送路の一端に入射させながら、監視時間以内に、前記第１または第２の光伝送路の他端から各波長光信号が出射されているかどうかをチェックし、復旧確認時間に渡り、前記第１または第２の光伝送路の他端から各波長光信号が出射されているとき、前記第１または第２の光伝送路の断線復旧が終了していると判定し、各波長光信号を使用した通信処理を再開することを特徴とする光伝送システム。
【請求項２】
第１の光波長多重伝送装置と第２の光波長多重伝送装置とが第１の光伝送路と第２の光伝送路とによって接続され、前記第１または第２の光波長多重伝送装置によって各波長光信号を多重化させて、前記第１または第２の光伝送路の一端に入射させるとともに、前記第２または第１の光波長多重伝送装置によって、前記第１または第２の光伝送路の他端から出射される、多重化された光信号を取り込ませ、各波長光信号に分離させる光伝送システムにおいて、
前記第１または第２の光波長多重伝送装置は、
前記第１または第２の光伝送路の他端から各波長光信号が出射されなくなったとき、前記第１または第２の光伝送路が断線したと判断し、前記第１または第２の光伝送路への光出力を停止し、その後、各波長単位で、所定周期毎に、所定時間だけ、各波長光信号を前記第１または第２の光伝送路の一端に入射させながら、監視時間以内に、前記第１または第２の光伝送路の他端から各波長光信号が出射されているかどうかをチェックし、前記第１または第２の光伝送路の他端から各波長光信号が出射されているとき、前記第１または第２の光伝送路の断線復旧が終了していると判定し、各波長光信号を使用した通信処理を再開することを特徴とする光伝送システム。
【請求項３】
前記第１または第２の光波長多重伝送装置は、各波長光信号毎に、前記所定周期を調整させ、各波長光信号の出射タイミングをずらすことを特徴とする請求項１または２に記載の光伝送システム。
【請求項４】
前記第１または第２の光波長多重伝送装置は、光送信装置から出射される各波長光信号を多重化させて、前記第１または第２の光伝送路の一端に入射させる処理、または、前記第１または第２の光伝送路の他端から出射される、多重化された光信号を取り込んで、各波長光信号に分離させ、光受信装置に入射させることを特徴とする請求項１〜３のいずれか一つに記載の光伝送システム。
【発明の詳細な説明】
【０００１】
【発明の属する技術分野】
本発明は、光波長多重伝送装置を使用させて、複数の光信号を波長多重させ、伝送させる光伝送システムに関する。
【０００２】
【従来の技術】
複数の光信号を波長多重化して、送受信する光伝送システムでは、図１０に示す如く、互いに波長が異なる複数の波長光信号を多重化させて、送受信する複数の光波長多重伝送装置（ＷＤＭ装置）１０２ａ、１０２ｂと、これら各光波長多重伝送装置１０２ａ、１０２ｂ間で送受信される光信号の伝送路（光伝送路）となる複数の光ファイバケーブル１０３ａ、１０３ｂとを備えており、各波長多重伝送装置１０２ａ、１０２ｂのいずれか、たとえば光波長多重伝送装置１０２ａに送信対象となる複数の電気信号が入力されたとき、これら各電気信号を対応する各波長の光信号（波長光信号）に変換させて、多重化させた後、一方の光波長多重伝送装置１０２ａ→一方の光ファイバケーブル１０３ａ→光波長多重伝送装置１０２ｂなる経路で、他方の光波長多重伝送装置１０２ｂに伝送させるとともに、光信号を波長毎に分離させて、各電気信号に戻させ、これらの各電気信号を出力させる。
【０００３】
各光波長多重伝送装置１０２ａ、１０２ｂはそれぞれ、入力された電気信号を予め設定されている波長λｉ（但し、ｉは１、…、ｎのいずれか）の光信号に変換する複数のトランスポンダ部（ＴＲＰ−ＴＰ）１０４と、これら各トランスポンダ部１０４から出力される、互いに波長が異なる複数の光信号（波長光信号）を波長多重化させて各光ファイバケーブル１０３ａ、１０３ｂのいずれかに入射させる波長多重部（ＭＵＸ）１０５と、各光ファイバケーブル１０３ａ、１０３ｂのいずれかから出射される波長多重化された光信号を各波長毎に分離して、複数の光信号（波長光信号）にする多重分離部（ＤＥＭＵＸ）１０６と、この多重分離部１０６から出射される、波長λｉ（但し、ｉは１、…、ｎのいずれか）の各波長光信号をそれぞれ、電気信号に変換して出力する複数のリトランスポンダ部（ＴＲＰ−ＲＰ）１０７とを備えており、複数の電気信号が入力されたとき、これら各電気信号を対応する各波長の光信号に変換させて、多重化させた後、各光ファイバケーブル１０３ａ、１０３ｂのいずれかに入射させ、また各光ファイバケーブル１０３ａ、１０３ｂのいずれかから波長多重化された光信号が出射されているとき、この光信号を各波長毎に分離させて、複数の光信号（波長光信号）にさせた後、電気信号に変換させて、出力させる。
【０００４】
【発明が解決しようとする課題】
ところで、このような光波長多重伝送装置１０２ａ、１０２ｂを使用した従来の光伝送システム１０１では、各光波長多重伝送装置１０２ａ、１０２ｂによって生成される各波長光信号の強度（光パワー）が人の眼などに悪影響を与えない程度の強さになっているときでも、各光波長多重伝送装置１０２ａ、１０２ｂから複数の波長光信号が多重化された光信号が出射されることから、光ファイバケーブル１０３ａ、１０３ｂが断線したとき、破断面から強い光信号が出射されて、人の眼などに悪影響を与えてしまうおそれがあった。
【０００５】
そこで、このような問題を解決する方法として、各光波長多重伝送装置１０２ａ、１０２ｂ内に、監視情報光信号（ＯＳＣ）を生成する監視情報光信号発生部（図示は省略する）と、この監視情報光信号発生部から出力される監視情報光信号と波長多重部１０５から出力される、多重化された光信号とを多重化させて各光ファイバケーブル１０３ａ、１０３ｂのいずれかに送出する多重化部（図示は省略する）と、各光ファイバケーブル１０３ａ、１０３ｂのいずれかを介して供給される光信号を複数の波長光信号と監視情報光信号とに分離する分離部（図示は省略する）と、この分離部によって他の各光信号と分離された監視情報光信号の有無を検知する監視情報光信号検知部（図示は省略する）とを設け、各光波長多重伝送装置１０２ａ、１０２ｂの監視情報光信号発生部、多重化部を動作させて、各光ファイバケーブル１０３ａ、１０３ｂのいずれかに監視情報光信号を送出させながら、分離部、監視情報光信号検知部を動作させて、各光ファイバケーブル１０３ａ、１０３ｂのいずれかを介して供給された光信号に監視情報光信号が多重化されているかどうかをチェックさせ、これが検知されていないとき、光ファイバケーブル１０３ａまたは光ファイバケーブル１０３ｂが断線したと判断させて、各光波長多重伝送装置１０２ａ、１０２ｂに光信号の出力を停止させる方法が多数提案されている。
【０００６】
しかしながら、このような方法では、各光波長多重伝送装置１０２ａ、１０２ｂ内に、監視情報光信号発生部、多重化部、分離部、監視情報光信号検知部を設けなければならないことから、各光波長多重伝送装置１０２ａ、１０２ｂ全体が大型化してしまうのみならず、コスト高になってしまうという問題があった。
【０００７】
本発明は、上記に鑑みてなされたものであって、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにすることができるとともに、断線した光ファイバケーブルの修復が終了したとき、これを検知させ、さらに修復が確認された時点で、多重化された光信号の送出を再開させることができ、これによって高い安全性を確保させながら、光ファイバケーブルの復旧とともに、通信を再開させることができる光伝送システムを提供することを目的としている。
【０００８】
また、本発明は、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにすることができるとともに、断線した光ファイバケーブルの修復が終了したとき、これを検知させて、多重化された光信号の送出を再開させることができ、これによって高い安全性を確保させながら、光ファイバケーブルの復旧した時点で、通信を再開させることができる光伝送システムを提供することを目的としている。
【０００９】
また、本発明は、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにすることができるとともに、断線した光ファイバケーブルの断面から多重化された波長光信号が出射されないようにしながら、光ファイバケーブルの断線復旧が終了したかどうかをチェックさせ、断線した光ファイバケーブルの修復が終了したとき、多重化された光信号の送出を再開させることができ、これによって高い安全性を確保させながら、光ファイバケーブルの復旧とともに、通信を再開させることができる光伝送システムを提供することを目的としている。
【００１０】
また、本発明は、監視情報光信号発生部、多重化部、分離部、監視情報光信号検知部などのハードウェアを使用させることなく、光ファイバケーブルが断線したとき、送信装置から出射される各波長光信号の取り込み処理、多重化処理、光ファイバケーブルに対する出射処理などを停止させることができるとともに、断線した光ファイバケーブルの修復が終了したとき、これを検知させて、送信装置から出射される各波長光信号の取り込み処理、多重化処理、光ファイバケーブルに対する出射処理などを再開させることができる光伝送システムを提供することを目的としている。
【００１１】
【課題を解決するための手段】
上記の目的を達成するために、本発明（請求項１）は、一方の光波長多重伝送装置によって、各波長光信号を多重化させて、光ファイバケーブルの一端に入射させるとともに、他方の光波長多重伝送装置によって、前記光ファイバケーブルの他端から出射される、多重化された光信号を取り込ませ、各波長光信号に分離させる光伝送システムにおいて、前記光ファイバケーブルから各波長光信号が出射されなくなったとき、前記光ファイバケーブルが断線したと判断させて、各波長単位で、所定周期（Ｔ１）毎に、所定時間だけ、各波長光信号を前記光ファイバケーブルの一端に入射させながら、監視時間（Ｔ２）以内に、前記光ファイバケーブルの他端から各波長光信号が出射されているかどうかをチェックさせ、復旧確認時間（Ｔ３）に渡り、前記光ファイバケーブルの他端から各波長光信号が出射されているとき、前記光ファイバケーブルの断線復旧が終了していると判定させて、各波長光信号を使用した通信処理を再開させることを特徴としている。
【００１２】
この発明によれば、一方の光波長多重伝送装置によって、各波長光信号を多重化させて、光ファイバケーブルの一端に入射させるとともに、他方の光波長多重伝送装置によって、前記光ファイバケーブルの他端から出射される、多重化された光信号を取り込ませ、各波長光信号に分離させる光伝送システムにおいて、前記光ファイバケーブルから各波長光信号が出射されなくなったとき、前記光ファイバケーブルが断線したと判断させて、各波長単位で、所定周期（Ｔ１）毎に、所定時間だけ、各波長光信号を前記光ファイバケーブルの一端に入射させながら、監視時間（Ｔ２）以内に、前記光ファイバケーブルの他端から各波長光信号が出射されているかどうかをチェックさせ、復旧確認時間（Ｔ３）に渡り、前記光ファイバケーブルの他端から各波長光信号が出射されているとき、前記光ファイバケーブルの断線復旧が終了していると判定させて、各波長光信号を使用した通信処理を再開させることにより、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにするとともに、断線した光ファイバケーブルの修復が終了したとき、これを検知させ、さらに修復が確認された時点で、多重化された光信号の送出を再開させ、これによって高い安全性を確保させながら、光ファイバケーブルの復旧とともに、通信を再開させる。
【００１３】
また、本発明（請求項２）は、一方の光波長多重伝送装置によって、各波長光信号を多重化させて、光ファイバケーブルの一端に入射させるとともに、他方の光波長多重伝送装置によって、前記光ファイバケーブルの他端から出射される、多重化された光信号を取り込ませ、各波長光信号に分離させる光伝送システムにおいて、前記光ファイバケーブルから各波長光信号が出射されなくなったとき、前記光ファイバケーブルが断線したと判断させて、各波長単位で、所定周期（Ｔ１）毎に、所定時間だけ、各波長光信号を前記光ファイバケーブルの一端に入射させながら、監視時間（Ｔ２）以内に、前記光ファイバケーブルの他端から各波長光信号が出射されているかどうかをチェックさせ、前記光ファイバケーブルの他端から各波長光信号が出射されているとき、前記光ファイバケーブルの断線復旧が終了していると判定させて、各波長光信号を使用した通信処理を再開させることを特徴としている。
【００１４】
この発明によれば、一方の光波長多重伝送装置によって、各波長光信号を多重化させて、光ファイバケーブルの一端に入射させるとともに、他方の光波長多重伝送装置によって、前記光ファイバケーブルの他端から出射される、多重化された光信号を取り込ませ、各波長光信号に分離させる光伝送システムにおいて、前記光ファイバケーブルから各波長光信号が出射されなくなったとき、前記光ファイバケーブルが断線したと判断させて、各波長単位で、所定周期（Ｔ１）毎に、所定時間だけ、各波長光信号を前記光ファイバケーブルの一端に入射させながら、監視時間（Ｔ２）以内に、前記光ファイバケーブルの他端から各波長光信号が出射されているかどうかをチェックさせ、前記光ファイバケーブルの他端から各波長光信号が出射されているとき、前記光ファイバケーブルの断線復旧が終了していると判定させて、各波長光信号を使用した通信処理を再開させることにより、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにするとともに、断線した光ファイバケーブルの修復が終了したとき、これを検知させて、多重化された光信号の送出を再開させ、これによって高い安全性を確保させながら、光ファイバケーブルの復旧した時点で、通信を再開させる。
【００１５】
また、本発明（請求項３）は、各波長光信号毎に、前記所定周期（Ｔ１）を調整させ、各波長光信号の出射タイミングをずらすことを特徴としている。
【００１６】
この発明によれば、各波長光信号毎に、前記所定周期（Ｔ１）を調整させ、各波長光信号の出射タイミングをずらさせることにり、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにするとともに、断線した光ファイバケーブルの断面から多重化された波長光信号が出射されないようにしながら、光ファイバケーブルの断線復旧が終了したかどうかをチェックさせ、断線した光ファイバケーブルの修復が終了したとき、多重化された光信号の送出を再開させ、これによって高い安全性を確保させながら、光ファイバケーブルの復旧とともに、通信を再開させる。
【００１７】
また、本発明（請求項４）は、前記各光波長多重伝送装置は、光送信装置から出射される各波長光信号を多重化させて、光ファイバケーブルの一端に入射させる処理、または前記光ファイバケーブルの他端から出射される、多重化された光信号を取り込んで、各波長光信号に分離させ、光受信装置に入射させることを特徴としている。
【００１８】
この発明によれば、前記各光波長多重伝送装置によって、光送信装置から出射される各波長光信号を多重化させて、光ファイバケーブルの一端に入射させる処理、または前記光ファイバケーブルの他端から出射される、多重化された光信号を取り込んで、各波長光信号に分離させ、光受信装置に入射させることにより、監視情報光信号発生部、多重化部、分離部、監視情報光信号検知部などのハードウェアを使用させることなく、光ファイバケーブルが断線したとき、送信装置から出射される各波長光信号の取り込み処理、多重化処理、光ファイバケーブルに対する出射処理などを停止させるとともに、断線した光ファイバケーブルの修復が終了したとき、これを検知させて、送信装置から出射される各波長光信号の取り込み処理、多重化処理、光ファイバケーブルに対する出射処理などを再開させる。
【００１９】
【発明の実施の形態】
以下、本発明にかかる光伝送システムの実施の形態を、添付図面を参照して詳細に説明する。
【００２０】
（実施の形態１）
図１は、本発明による光伝送システムのうち、請求項１に対応する実施の形態１を示すブロック図である。
【００２１】
この図に示す光伝送システム１は、互いに波長が異なる複数の光信号を送受信する複数の光波長多重伝送装置（ＷＤＭ装置）２ａ、２ｂと、これら各光波長多重伝送装置２ａ、２ｂ間で送受信される光信号の伝送路（光伝送路）となる複数の光ファイバケーブル３ａ、３ｂとを備えており、各波長多重伝送装置２ａ、２ｂのいずれか、たとえば光波長多重伝送装置２ａに送信対象となる複数の電気信号が入力されたとき、これら各電気信号を対応する各波長の光信号（波長光信号）に生成させて、多重化させた後、一方の光波長多重伝送装置２ａ→一方の光ファイバケーブル３ａ→光波長多重伝送装置２ｂなる経路で、他方の光波長多重伝送装置２ｂに伝送させるとともに、各光信号を波長毎に分離させて、各電気信号に戻させ、これらの各電気信号を出力させる。また、これらの動作と並行し、各波長多重伝送装置２ａ、２ｂに多重化された光信号が供給されているかどうかを監視させ、この監視結果に基づき、各光ファイバケーブル３ａ、３ｂの断線有無、復旧有無を判断させて、多重化された光信号の出力停止、出力再開を制御させる。
【００２２】
各光波長多重伝送装置２ａ、２ｂはそれぞれ、入力された各電気信号を各波長の光信号（波長光信号）に変換する複数のトランスポンダ部（ＴＲＰ−ＴＰ）４と、これら各トランスポンダ部４から出力される各波長光信号を多重化させて、各光ファイバケーブル３ａ、３ｂのいずれかに入射させる波長多重部（ＭＵＸ）５と、各光ファイバケーブル３ａ、３ｂのいずれかを介して供給された光信号を各波長の光信号（波長光信号）に分離する多重分離部（ＤＥＭＵＸ）６と、この多重分離部６から各波長の光信号（波長光信号）が出力されているかどうかを監視し、この監視結果に基づき、各トランスポンダ部４の動作を制御しながら、多重分離部６から出力される各波長光信号を電気信号に変換する複数のリトランスポンダ部（ＴＲＰ−ＲＰ）７とを備えている。
【００２３】
そして、送信装置（図示は省略する）から出力されている複数の電気信号を各波長の光信号（波長光信号）に変換させて、多重化させた後、各光ファイバケーブル３ａ、３ｂのいずれかに入射させながら、各光ファイバケーブル３ａ、３ｂのいずれかを介して供給される波長多重化された光信号を各波長毎に分離して、複数の光信号（波長光信号）にさせた後、電気信号に変換させ、受信装置（図示は省略する）に出力させる。
【００２４】
また、これらの各動作と並行し、各光ファイバケーブル３ａ、３ｂのいずれか、たとえば光ファイバケーブル３ａを介して波長多重化された光信号が供給されなくなったとき、光波長多重伝送装置２ｂに光ファイバケーブル３ａ、３ｂのいずれかが断線したと判断させて、各波長光信号の生成を停止させて、光ファイバケーブル３ｂ内に送出させていた、波長多重化された光信号の供給を停止させ、光波長多重伝送装置２ａに光ファイバケーブル３ａ、３ｂのいずれかが断線したと判断させて、各波長光信号の生成を停止させる。
【００２５】
この後、各光波長多重伝送装置２ａ、２ｂに、光ファイバケーブル３ａ、３ｂの復旧チェック動作を開始させて、各波長毎に、所定周期（Ｔ１）で、所定期間だけ、各波長光信号を発生させて、各光ファイバケーブル３ａ、３ｂ内に入射させながら、監視期間（Ｔ２）の間、これら各光ファイバケーブル３ａ、３ｂを介して、各波長の光信号が供給されているかどうかをチェックさせ、このチェック動作で、各波長の光信号（波長光信号）が全て供給され、この状態が復旧確認時間（Ｔ３）に渡り、継続しているとき、各光ファイバケーブル３ａ、３ｂの復旧が完了したと判断させて、多重化された光信号の送受信動作を再開させる。
【００２６】
つぎに、図１に示すブロック図、図２に示す動作表、図３に示すタイミングチャートを参照しながら、光伝送システム１の動作を説明する。まず、各光ファイバケーブル３ａ、３ｂが断線してないときには、各波長多重伝送装置２ａ、２ｂのいずれか、たとえば光波長多重伝送装置２ａに送信装置から複数の電気信号が入力される毎に、各トランスポンダ部４、波長多重部５によって、これら各電気信号が対応する各波長の光信号に変換されて、多重化された後、一方の光波長多重伝送装置２ａ→光ファイバケーブル３ａ→光波長多重伝送装置２ｂなる経路で、他方の光波長多重伝送装置２ｂに伝送される。
【００２７】
そして、この光波長多重伝送装置２ｂの多重分離部６、各リトランスポンダ部７によって、光信号が波長毎に分離されて、各電気信号に戻され、受信装置に出力される。
【００２８】
また、これらの各動作と並行し、各波長多重伝送装置２ａ、２ｂによって、各光ファイバケーブル３ａ、３ｂを介して波長多重化された光信号が供給されているかどうかがチェックされ、これら各光ファイバケーブル３ａ、３ｂのいずれか、たとえば光ファイバケーブル３ａを介して波長多重化された光信号が供給されなくなり、予め設定されている時間以上、この状態が続いたとき、図２の動作表８に示す如く波長多重伝送装置２ｂの各リトランスポンダ部７によって、各光ファイバケーブル３ａ、３ｂのいずれかが断線したと判断されて、各トランスポンダ部４がサスペンデッドモード（Suspended Mood）にされ、電気信号／光信号変換動作が停止させられる。
【００２９】
これにより、光ファイバケーブル３ｂを介して、波長多重化された光信号が光波長多重伝送装置２ａに供給されなくなり、予め設定されている時間以上、この状態が続いたとき、光波長多重伝送装置２ａの各リトランスポンダ部７によって、各光ファイバケーブル３ａ、３ｂのいずれかが断線したと判断されて、各トランスポンダ部４がサスペンデッドモードにされ、電気信号／光信号変換動作が停止させられる。
【００３０】
この後、図３に示す如く各波長毎に、所定周期（Ｔ１）で、光波長多重伝送装置２ａ、２ｂの各トランスポンダ部４がそれぞれ、復旧試行モードにされて、光波長多重伝送装置２ａの各トランスポンダ部４から所定波長、所定幅の光信号（単波長の光信号）が順次、出力されて、各トランスポンダ部４→波長多重部５→光ファイバケーブル３ａなる経路で、光ファイバケーブル３ａに入射されるとともに、光波長多重伝送装置２ｂの各リトランスポンダ部７によって、光ファイバケーブル３ａを介して各波長光信号のいずれかが供給されているかどうかがチェックされ、さらに光波長多重伝送装置２ｂの各トランスポンダ部４から所定波長、所定幅の光信号（単波長の光信号）が順次、出力されて、各トランスポンダ部４→波長多重部５→光ファイバケーブル３ｂなる経路で、光ファイバケーブル３ｂに入射されるとともに、光波長多重伝送装置２ａの各リトランスポンダ部７によって、光ファイバケーブル３ｂを介して各波長光信号のいずれかが供給されているかどうかがチェックされる。
【００３１】
そして、光波長多重伝送装置２ｂに設けられた各トランスポンダ部４の一つ、波長多重部５によって、光ファイバケーブル３ｂに光信号を入射させたときから、予め設定されている監視時間（Ｔ２）が過ぎても、各リトランスポンダ部７によって、光ファイバケーブル３ａを介して光信号の供給が検知されないとき、光ファイバケーブル３ａ、３ｂの断線復旧処理が終了していないと判断されて、上述した復旧試行モードが継続され、各波長毎に、所定周期（Ｔ１）で、各トランスポンダ部４から所定波長、所定幅の光信号（単波長の光信号）が順次、出力されて、各トランスポンダ部４→波長多重部５→光ファイバケーブル３ｂなる経路で、光ファイバケーブル３ｂに入射されるとともに、光波長多重伝送装置２ｂの各リトランスポンダ部７によって、光ファイバケーブル３ａを介して各波長光信号のいずれかが供給されているかどうかがチェックされる。
【００３２】
また、この動作と並行し、光波長多重伝送装置２ａに設けられた各トランスポンダ部４の一つ、波長多重部５によって、光ファイバケーブル３ａに光信号を入射させたときから、予め設定されている監視時間（Ｔ２）が過ぎても、各リトランスポンダ部７によって、光ファイバケーブル３ｂを介して光信号の供給が検知されないとき、光ファイバケーブル３ａ、３ｂの断線復旧が終了していないと判断されて、上述した復旧試行モードが継続され、各波長毎に、所定周期（Ｔ１）で、各トランスポンダ部４から所定波長、所定幅の光信号（単波長の光信号）が順次、出力されて、各トランスポンダ部４→波長多重部５→光ファイバケーブル３ａなる経路で、光ファイバケーブル３ａに入射されるとともに、光波長多重伝送装置２ａの各リトランスポンダ部７によって、光ファイバケーブル３ｂを介して単波長の光信号が供給されているかどうかがチェックされる。
【００３３】
この後、断線していた光ファイバケーブル３ａの復旧処理が終了して、各光波長多重伝送装置２ａ、２ｂのいずれか、たとえば光波長多重伝送装置２ｂに設けられた各トランスポンダ部４の一つ、波長多重部５によって、光ファイバケーブル３ｂに光信号を入射させたときから、予め設定されている監視時間（Ｔ２）以内に、各リトランスポンダ部７のいずれかによって、光ファイバケーブル３ａを介して波長光信号の供給が検知されると、光ファイバケーブル３ａ、３ｂの断線が復旧した可能性があると判定されて、さらに予め設定されている復旧確認時間（Ｔ３）が経過したとき、各リトランスポンダ部７によって、波長光信号の供給が継続的に検知されているかどうかチェックされる。
【００３４】
そして、光波長多重伝送装置２ｂの各リトランスポンダ部７のいずれかによって、波長光信号の供給が継続的に検知されているとき、光ファイバケーブル３ａの断線が完全に復旧したと判定されて、通常モードに戻され、光波長多重伝送装置２ｂに設けられた各トランスポンダ部４、波長多重部５によって、送信装置から出力される複数の電気信号が対応する各波長の光信号に変換されて、多重化された後、一方の光波長多重伝送装置２ｂ→光ファイバケーブル３ｂ→光波長多重伝送装置２ａなる経路で、他方の光波長多重伝送装置２ａに伝送される。
【００３５】
この後、光波長多重伝送装置２ａに設けられた各トランスポンダ部４、波長多重部５によって、光ファイバケーブル３ａに光信号を入射させたときから、予め設定されている監視時間（Ｔ２）以内に、各リトランスポンダ部７のいずれかによって、光ファイバケーブル３ｂを介して光信号の供給が検知されると、光ファイバケーブル３ａ、３ｂの断線が復旧した可能性があると判定されて、さらに予め設定されている復旧確認時間（Ｔ３）が経過したとき、各リトランスポンダ部７によって、光信号の供給が継続的に検知されているかどうかチェックされる。
【００３６】
そして、光波長多重伝送装置２ａの各リトランスポンダ部７のいずれかによって、波長光信号の供給が継続的に検知されているとき、光ファイバケーブル３ａ、３ｂの断線が完全に復旧したと判定されて、通常モードに戻され、光波長多重伝送装置２ａに設けられた各トランスポンダ部４、波長多重部５によって、送信装置から出力される複数の電気信号が対応する各波長の光信号に変換されて、多重化された後、一方の光波長多重伝送装置２ａ→光ファイバケーブル３ｂ→光波長多重伝送装置２ｂなる経路で、他方の光波長多重伝送装置２ｂに伝送される。
【００３７】
このように、この実施の形態１では、各波長多重伝送装置２ａ、２ｂの各リトランスポンダ部７によって各光ファイバケーブル３ａ、３ｂを介して、多重化された光信号が供給されているかどうかを監視させ、この監視結果に基づき、各光ファイバケーブル３ａ、３ｂの断線有無、復旧有無を判断させて、多重化された光信号の出力停止、出力再開を制御させるようにしているので、監視情報光信号発生部、多重化部、分離部、監視情報光信号検知部などのハードウェアを使用させることなく、光ファイバケーブル３ａ、３ｂなどが断線したとき、多重化された光信号の送出を停止させて、断線した光ファイバケーブル、たとえば光ファイバケーブル３ａの断面から強い光信号が出射されないようにすることができるとともに、断線した光ファイバケーブル３ａの修復が終了したとき、これを検知させ、さらに修復が確認された時点で、多重化された光信号の送出を再開させることができ、これによって高い安全性を確保させながら、光ファイバケーブル３ａの復旧とともに、通信を再開させることができる（請求項１の効果）。
【００３８】
（実施の形態２）
図４は、本発明による光伝送システムのうち、請求項２に対応する実施の形態２を示すブロック図である。なお、この図においては、図１の各部と同じ部分に同じ符号が付してある。
【００３９】
この図に示す光伝送システム１１が図１に示す光伝送システム１と異なる点は、通常モード、サスペンデッドモード、復旧試行モード、復旧確認モードを持つ複数の光波長多重伝送装置（ＷＤＭ装置）２ａ、２ｂに代えて、図５の動作表１２に示す如く通常モード、サスペンデッドモード、復旧試行モードしか持たない複数の光波長多重伝送装置（ＷＤＭ装置）２ｃ、２ｄを使用させて、復旧確認動作を省略させ、断線した光ファイバケーブル３ａ、３ｂの復旧処理が完了したとき、各光波長多重伝送装置２ｃ、２ｄの各リトランスポンダ部７によって、これを検知させて、直ちに通常モードに戻させるようにしたことである。
【００４０】
これにより、各光波長多重伝送装置２ｃ、２ｄから光ファイバケーブル３ａ、３ｂに入射される多重化された光信号の強度が弱く、短時間であれば、光ファイバケーブル３ａ、３ｂの破断面から光信号が放出されても、問題がないとき、このような光波長多重伝送装置２ｃ、２ｄを使用させて、復旧試行モードから通常モードに戻すのに必要な時間を短くさせることができるとともに、制御アルゴリズムを簡素化させて、システム全体のコストを低減させることができる。
【００４１】
このように、この実施の形態２では、各波長多重伝送装置２ａ、２ｂの各リトランスポンダ部７によって各光ファイバケーブル３ａ、３ｂを介して、多重化された光信号が供給されているかどうかを監視させ、この監視結果に基づき、各光ファイバケーブル３ａ、３ｂの断線有無、復旧有無を判断させ、各光ファイバケーブル３ａ、３ｂのいずれかが断線した後、復旧処理が完了したとき、各光波長多重伝送装置２ｃ、２ｄの各リトランスポンダ部７によって、これを検知させて、直ちに通常モードに戻させるようにしているので、監視情報光信号発生部、多重化部、分離部、監視情報光信号検知部などのハードウェアを使用させることなく、光ファイバケーブル３ａ、３ｂなどが断線したとき、多重化された光信号の送出を停止させて、断線した光ファイバケーブル、たとえば光ファイバケーブル３ａの断面から強い光信号が出射されないようにすることができるとともに、断線した光ファイバケーブル３ａの修復が終了したとき、これを検知させて、多重化された光信号の送出を再開させることができ、これによって高い安全性を確保させながら、光ファイバケーブル３ａの復旧した時点で、直ちに通信を再開させることができる（請求項２の効果）。
【００４２】
（実施の形態３）
図６は、本発明による光伝送システムのうち、請求項３に対応する実施の形態３を示すブロック図である。なお、この図においては、図１の各部と同じ部分に同じ符号が付してある。
【００４３】
この図に示す光伝送システム２１が図１に示す光伝送システム１と異なる点は、各トランスポンダ部４の所定周期（Ｔ１）を固定させた複数の光波長多重伝送装置（ＷＤＭ装置）２ａ、２ｂに代えて、各トランスポンダ部４毎に、所定周期（Ｔ１）の値を調整し得るようにした複数の光波長多重伝送装置（ＷＤＭ装置）２ｅ、２ｆを使用させて、図７、図８の各動作表２２、２３に示す如く通常モード、サスペンデッドモードと、復旧試行モード、復旧確認モードとの間に設けられた復旧試行待ちモードによって、各トランスポンダ部４の光信号出力タイミングを調整させ、各トランスポンダ部４から同じタイミングで、複数の波長光信号が出力されるのを防止させるようにしたことである。
【００４４】
このように、この実施の形態３では、各光ファイバケーブル３ａ、３ｂのいずれかが断線して、各光波長多重伝送装置２ｅ、２ｆの各トランスポンダ部４から波長光信号を順次、出力させるとき、各トランスポンダ部４の所定周期（Ｔ１）の値を調整して、これら各トランスポンダ部４から同じタイミングで、波長光信号が出力されないようにしているので、監視情報光信号発生部、多重化部、分離部、監視情報光信号検知部などのハードウェアを使用させることなく、光ファイバケーブル３ａ、３ｂなどが断線したとき、多重化された光信号の送出を停止させて、断線した光ファイバケーブルの断面から強い光信号が出射されないようにすることができるとともに、断線した光ファイバケーブル、たとえば光ファイバケーブル３ａの断面から多重化された波長光信号が出射されないようにしながら、光ファイバケーブル３ａの断線復旧が終了したかどうかをチェックさせ、断線した光ファイバケーブル３ａの修復が終了したとき、多重化された光信号の送出を再開させることができ、これによって高い安全性を確保させながら、光ファイバケーブル３ａの復旧とともに、通信を再開させることができる（請求項３の効果）。
【００４５】
（実施の形態４）
図９は、本発明による光伝送システムのうち、請求項４に対応する実施の形態４を示すブロック図である。なお、この図においては、図１の各部と同じ部分に同じ符号が付してある。
【００４６】
この図に示す光伝送システム３１が図１に示す光伝送システム１と異なる点は、複数のトランスポンダ部４、複数のリトランスポンダ部７が取り除かれた複数の光波長多重伝送装置（ＷＤＭ装置）２ｇ、２ｈを使用させて、一方の光通信装置３２に設けられた各光送信器３３から出力される波長λｉ（但し、ｉは１、…、ｎのいずれか）の各波長光信号を一方の光波長多重伝送装置２ｇに設けられた波長多重部５によって、多重化させた後、光波長多重伝送装置２ｇの波長多重部５→光ファイバケーブル３ａ→光波長多重伝送装置２ｈの多重分離部６なる経路で、他方の光波長多重伝送装置２ｈの多重分離部６に送って、波長λｉ（但し、ｉは１、…、ｎのいずれか）の各波長光信号に分離させた後、他方の光通信装置３４に設けられた各光受信器３５にそれぞれ、取り込ませ、さらにこの光通信装置３４に設けられた各光送信器３６から出力される波長λｉ（但し、ｉは１、…、ｎのいずれか）の各波長光信号を光波長多重伝送装置２ｈに設けられた波長多重部５によって、多重化させた後、光波長多重伝送装置２ｈの波長多重部５→光ファイバケーブル３ｂ→光波長多重伝送装置２ｇの多重分離部６なる経路で、光波長多重伝送装置２ｇの多重分離部６に送って、波長λｉ（但し、ｉは１、…、ｎのいずれか）の各波長光信号に分離させた後、光通信装置３２に設けられた各光受信器３７にそれぞれ、取り込ませながら、これら各光通信装置３２、３４の各光受光器３５、３７に、上述した光ファイバケーブル３ａ、３ｂの断線検出動作、断線した光ファイバケーブル３ａ、３ｂの断線復旧検知動作を行わせるようにしたことである。
【００４７】
これにより、たとえばＳＤＨ装置などのように、波長λｉ（但し、ｉは１、…、ｎのいずれか）の各波長光信号を授受する複数の光通信装置間の通信をサポートさせることができる。
【００４８】
このように、この実施の形態４では、各光波長多重伝送装置２ｇ、２ｈによって、各光通信装置３２、３４の通信をサポートさせながら、各光通信装置３２、３４に設けられた各光受信器３５、３７によって、上述した光ファイバケーブル３ａ、３ｂの断線検出動作、断線した光ファイバケーブル３ａ、３ｂの断線復旧検知動作を行わせるようにしているので、監視情報光信号発生部、多重化部、分離部、監視情報光信号検知部などのハードウェアを使用させることなく、光ファイバケーブル３ａ、３ｂなどが断線したとき、光通信装置３２、３４から出射される各波長光信号の取り込み処理、多重化処理、各光ファイバケーブル３ａ、３ｂなどに対する出射処理などを停止させることができるとともに、断線した光ファイバケーブル、たとえば光ファイバケーブル３ａの修復が終了したとき、これを検知させて、各光通信装置３２、３４から出射される各波長光信号の取り込み処理、多重化処理、光ファイバケーブル３ａ、３ｂなどに対する出射処理などを再開させることができる（請求項４の効果）。
【００４９】
【発明の効果】
以上説明したように本発明によれば、本発明（請求項１）にかかる光伝送システムでは、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにすることができるとともに、断線した光ファイバケーブルの修復が終了したとき、これを検知させ、さらに修復が確認された時点で、多重化された光信号の送出を再開させることができ、これによって高い安全性を確保させながら、光ファイバケーブルの復旧とともに、通信を再開させることができる。
【００５０】
また、本発明（請求項２）にかかる光伝送システムでは、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにすることができるとともに、断線した光ファイバケーブルの修復が終了したとき、これを検知させて、多重化された光信号の送出を再開させることができ、これによって高い安全性を確保させながら、光ファイバケーブルの復旧した時点で、通信を再開させることができる。
【００５１】
また、本発明（請求項３）にかかる光伝送システムでは、監視情報光信号発生部、多重化部、分離部、監視情報光信号検知部などのハードウェアを使用させることなく、光ファイバケーブルが断線したとき、多重化された光信号の送出を停止させて、断線した光ファイバケーブルの断面から強い光信号が出射されないようにすることができるとともに、断線した光ファイバケーブルの断面から多重化された波長光信号が出射されないようにしながら、光ファイバケーブルの断線復旧が終了したかどうかをチェックさせ、断線した光ファイバケーブルの修復が終了したとき、多重化された光信号の送出を再開させることができ、これによって高い安全性を確保させながら、光ファイバケーブルの復旧とともに、通信を再開させることができることができる。
【００５２】
また、本発明（請求項４）にかかる光伝送システムでは、監視情報光信号発生部、多重化部、分離部、監視情報光信号検知部などのハードウェアを使用させることなく、光ファイバケーブルが断線したとき、送信装置から出射される各波長光信号の取り込み処理、多重化処理、光ファイバケーブルに対する出射処理などを停止させることができるとともに、断線した光ファイバケーブルの修復が終了したとき、これを検知させて、送信装置から出射される各波長光信号の取り込み処理、多重化処理、光ファイバケーブルに対する出射処理などを再開させることができる。
【図面の簡単な説明】
【図１】本発明による光伝送システムのうち、請求項１に対応する実施の形態１を示すブロック図である。
【図２】図１に示した光伝送システムの動作例を示す図である。
【図３】図１に示した光伝送システムの各トランスポンダ部、各リトランスポンダ部の動作タイミング例を示すタイミングチャートである。
【図４】本発明による光伝送システムのうち、請求項２に対応する実施の形態２を示すブロック図である。
【図５】図４に示した光伝送システムの動作例を示す図である。
【図６】本発明による光伝送システムのうち、請求項３に対応する実施の形態３を示すブロック図である。
【図７】図６に示した光伝送システムの動作例を示す図である。
【図８】図６に示した光伝送システムの動作例を示す図である。
【図９】本発明による光伝送システムのうち、請求項４に対応する実施の形態４を示すブロック図である。
【図１０】従来から知られている光伝送システムの一例を示すブロック図である。
【符号の説明】
１  光伝送システム
２ａ  光波長多重伝送装置
２ｂ  光波長多重伝送装置
２ｃ  光波長多重伝送装置
２ｄ  光波長多重伝送装置
２ｅ  光波長多重伝送装置
２ｆ  光波長多重伝送装置
２ｇ  光波長多重伝送装置
２ｈ  光波長多重伝送装置
３ａ  光ファイバケーブル
３ｂ  光ファイバケーブル
４  トランスポンダ部
５  波長多重部
６  多重分離部
７  リトランスポンダ部
８  動作表
１１  光伝送システム
１２  動作表
２１  光伝送システム
２２  動作表
２３  動作表
３１  光伝送システム
３２  光通信装置（光送信装置、光受信装置）
３３  光送信器
３４  光通信装置（光送信装置、光受信装置）
３５  光受信器
３６  光送信器
３７  光受信器
【図１】
0003901978.tif 000002
【図２】
0003901978.tif 000003
【図３】
0003901978.tif 000004
【図４】
0003901978.tif 000005
【図５】
0003901978.tif 000006
【図６】
0003901978.tif 000007
【図７】
0003901978.tif 000008
【図８】
0003901978.tif 000009
【図９】
0003901978.tif 000010
【図１０】
0003901978.tif 000011